(57)【要約】【課題】装着部に着脱される廃トナー回収容器の取っ手であり廃トナー回収容器の装着部へのロックとロック解除を行う回転抓みの更なる回転に連動して書込みヘッドの清掃を行う画像形成装置を提供する。【解決手段】廃トナー回収容器２９の前面に設けられた回転抓み５５を清掃位置に回すと回転抓み５５のリンク機構駆動板５７に連動する連動カムユニット５８のユニットカム６２の最凸面がリンクカム６６の最凸面に摺接係合してリンク機構６５が矢印ｆで示す方向へ押し込まれる。長尺板状部材６４のスライドステー保持軸８４がヘッドスライドステー８３の後端を後方に引くためヘッドスライドステー８３の上端が下がり書込みヘッド１３が下がり、係合ピン８７が変形溝８９の円弧に沿って張出板状部材８６と共に矢印ｅの反対方向に引き出され、張出板状部材８６と一体なクリーナ保持部材８５に保持されたヘッドクリーナ７９が、下がった書込みヘッド１３のレンズ面に摺接して清掃する。【選択図】図５
2014052545.tif 000002
【特許請求の範囲】
【請求項１】
ユニット装着部に挿脱自在に装着される画像形成ユニットの像担持体に画像情報を書き込むべく配置された書込みヘッドと、
前記像担持体に対して前記書込ヘッドを近接させる近接位置と、該近接位置から離間した離間位置とに移動自在に前記書込ヘッドを支持するヘッド支持部材と、
前記書込みヘッドの長手方向に沿って形成されたヘッドクリーナと、
前記ユニット装着部に隣接する装着部に着脱自在に装着される廃トナー回収容器と、
前記廃トナー回収容器の操作に連動して前記ヘッドクリーナにより前記書込みヘッドを清掃させる連動手段を備える、
ことを特徴とする画像形成装置。
【請求項２】
前記連動手段は、
前記書込みヘッドが前記近接位置にあるとき前記ヘッドクリーナを前記書込みヘッドから該書込みヘッドの短手方向に離間させ、前記書込みヘッドが前記離間位置にあるとき前記ヘッドクリーナを前記書込みヘッドに摺接する位置に移動させるよう支持するクリーナ支持部材と、
前記ヘッド支持部材を前記近接位置又は前記離間位置に移動させる第１のリンク部と前記クリーナ支持部材を前記ヘッドクリーナが前記書込みヘッドから離間する位置又は前記ヘッドクリーナが前記書込みヘッドに摺接する位置に移動させる第２のリンク部を有するリンク機構と、
該リンク機構に設けられたリンクカムと、
該廃トナー回収容器の前面に設けられ前記廃トナー回収容器を前記装着部にロックするロック位置又はロックを解除するロック解除位置又は前記廃トナー回収容器を清掃する清掃位置に回転移動する回転抓みと、
該回転抓みの回転に連動して前記リンクカムに係合し又は係合を解除する複数のカムを有する連動カムユニットと、
を備える、
ことを特徴とする請求項１記載の画像形成装置。
【請求項３】
前記連動カムユニットは、前記回転抓みが前記清掃位置に回転したときこの回転に連動して前記リンクカムと係合し、
前記リンク機構は、前記ヘッド支持部材の長手方向に沿って摺動自在に前記ヘッド支持部材の下方に配置され、前記連動カムユニットが前記リンクカムと係合しとき戻しばねの付勢力に抗して前記長手方向に押し込まれる方向に移動して、前記第１のリンク部により押し上げばねの付勢力に抗して前記ヘッド支持部材を前記近接位置から前記離間位置に引き下げ、前記第２のリンク部により前記クリーナ支持部材を前記ヘッドクリーナが前記書込みヘッドに摺接する位置に移動させる、
ことを特徴とする請求項２記載の画像形成装置。
【請求項４】
前記連動カムユニットは、前記回転抓みが前記清掃位置から前記ロック位置又は前記ロック解除位置に回転したときこの回転に連動して前記リンクカムとの係合を解除し、
前記リンク機構は、前記戻しばねの付勢力により前記連動カムユニットと前記リンクカムとの係合前の位置に復帰すると共に、前記第２のリンク部により前記クリーナ支持部材を前記ヘッドクリーナが前記書込みヘッドから離間する位置に移動させ、
前記ヘッド支持部材は、前記押し上げばねの付勢力と前記第１のリンク部との協働により、前記書込ヘッドが前記像担持体に対する近接位置に移動する位置に復帰する、
ことを特徴とする請求項３記載の画像形成装置。
【請求項５】
前記第１のリンク部は、前記ヘッド支持部材に固定された支点に回動支点を支持された回動部材と、前記リンク機構に固定され前記回動部材の回動自由端に係合する回動自由端支持部と、から成り、
前記回動自由端支持部は、前記リンク機構の長手方向の押し込みと復帰の移動に伴い前記回動部材の態様を水平に近づく状態と鉛直に近づく状態に変化させる、
ことを特徴とする請求項２、３又は４記載の画像形成装置。
【請求項６】
前記第２のリンク部は、前記クリーナ支持部材から前記ヘッド支持部材の下部と前記リンク機構の上面との間に張り出した張出板状部材に固定された係合ピンと、該係合ピンに摺動自在に嵌合し前記リンク機構の板状部材の表裏に貫通して形成された変形溝と、から成り、
前記変形溝は、前記リンク機構の長手方向の押し込みと復帰の移動に伴い前記係合ピンと前記張出板状部材を介して前記クリーナ支持部材を前記ヘッドクリーナが前記書込みヘッドに摺接する位置と前記書込みヘッドから離間する位置とに移動させる、
ことを特徴とする請求項２、３、４又は５記載の画像形成装置。
【発明の詳細な説明】
【技術分野】
【０００１】
本発明は、画像形成装置に関わり、更に詳しくは装着部に着脱される廃トナー回収容器の取っ手であり廃トナー回収容器の装着部へのロックとロック解除を行う回転抓みの回転に連動して書込みヘッドの清掃を行う画像形成装置に関する。
【背景技術】
【０００２】
従来、電子写真方式の画像形成装置がある。この画像形成装置は、一般に感光体ドラムを一様に帯電させて初期化し、この感光体ドラムに光書込みによって静電潜像を形成し、この静電潜像をトナー像化して、そのトナー像を直接または間接に用紙等の転写材に転写して定着器で定着させる。
【０００３】
このような画像形成装置においては、用紙搬送ユニット、画像形成ユニット、転写ベルトユニット、定着ユニット等の画像形成に関わるユニット類は、画像形成装置本体のフレームにより位置決めされて保持される方式が一般的に採用されている。
【０００４】
これらのユニットは、一定期間の使用で寿命が尽きる又は汚れが生じると、新品との交換や清掃等の保守作業を行う必要がある。このため、上述したユニット類は画像形成装置本体の装着部に着脱可能に構成されているものが多い。
【０００５】
ところで、画像形成ユニットと転写ベルトユニットからは転写に使用されなかった廃トナーが発生する。これらの廃トナーは、廃トナー搬送パイプを介して廃トナー回収容器に回収される。
【０００６】
廃トナー回収容器も画像形成装置にとっては重要なユニットであり、清掃等の保守作業のため、装着部から着脱されることが多い。一方、画像形成ユニットの像担持体に画像情報を光書込みする書込みヘッドは、特に背面転写方式の場合、ヘッド面が上を向いた配置であるため汚れが付着し易い。
【０００７】
廃トナー回収容器についていえば、カラー画像形成装置において、装置自体のサイズを大きくすることなく十分な内容量を有する廃トナーボックスを備えるようにした画像形成装置が提案されている。（例えば、特許文献１参照。）
【０００８】
また、書込みヘッドについていえば、下部機体に対しヒンジを支点に開閉自在な上部機体に光書き込みヘッドを設け、ヒンジ側の側面に、光書き込みヘッドの結像レンズの短手方向に移動自在な清掃兼保護部材を設け、機体の開閉に応じて清掃兼保護部材をヘッド方向へ移動させて清掃部材がレンズ表面を清掃する画像形成装置が提案されている。（例えば、特許文献２参照。）
【先行技術文献】
【特許文献】
【０００９】
【特許文献１】特開２００１−３１８４９８号公報
【特許文献２】特開平０７−２３２４５０号公報
【発明の概要】
【発明が解決しようとする課題】
【００１０】
しかしながら、特許文献１に記載の技術は、装置自体のサイズを大きくすることなく廃トナー回収容器の内容量を十分にすることに主眼が置かれ、廃トナー回収容器に関わる部材の動作を他のユニットに関わる部材の動作に連動させる構想は開示も示唆もない。
【００１１】
また、特許文献２に記載の技術は、下部機体に対して開閉する上部機体に書込みヘッドが設けられてため転写構造が上面転写方式であること、光書き込みヘッドの結像レンズの清掃が上部機体（上蓋部材）の開閉に連動していることの２点において、近年の背面転写方式には適用できないという問題がある。
【００１２】
本発明は、上記従来の課題を解決するものであって、装着部に着脱される廃トナー回収容器の取っ手であり廃トナー回収容器の装着部へのロックとロック解除を行う回転抓みの回転に連動して書込みヘッドの清掃を行う画像形成装置を提供することを目的とする。
【課題を解決するための手段】
【００１３】
上記課題を解決するために、本発明の画像形成装置は、ユニット装着部に挿脱自在に装着される画像形成ユニットの像担持体に画像情報を書き込むべく配置された書込みヘッドと、上記像担持体に対して上記書込ヘッドを近接させる近接位置と、該近接位置から離間した離間位置とに移動自在に上記書込ヘッドを支持するヘッド支持部材と、上記書込みヘッドの長手方向に沿って形成されたヘッドクリーナと、上記ユニット装着部に隣接する装着部に着脱自在に装着される廃トナー回収容器と、上記廃トナー回収容器の操作に連動して上記ヘッドクリーナにより上記書込みヘッドを清掃させる連動手段を備えて構成される。
【発明の効果】
【００１４】
本発明は、装着部に着脱される廃トナー回収容器の取っ手であり廃トナー回収容器の装着部へのロックとロック解除を行う回転抓みの回転に連動して書込みヘッドの清掃を行う画像形成装置を提供することができる。
【図面の簡単な説明】
【００１５】
【図１】本発明の実施例１に係るフルカラーの画像形成装置（プリンタ、装置本体）の内部構成を説明する断面図である。
【図２】実施例１に係るプリンタにおける廃トナー搬送ユニット、廃トナー回収容器、画像形成ユニット装着部、書込ヘッド、及び連動カムユニットのみを取り出して示す斜視図である。
【図３】実施例１に係るプリンタの廃トナー回収容器が装着部に装着されて前面の回転抓みがロック位置に回された状態を示す図である。
【図４】実施例１に係るプリンタの廃トナー回収容器の回転抓みの時計回り方向に回されて回転体の三角記号がロック位置を示す三角記号の位置から清掃位置を示す三角記号の位置まで移動した状態を示す図である。
【図５】(a),(b)は実施例１に係るプリンタの１個の書込みヘッドとそのリンク機構及びそれらの関連部材のみ取り出してリンク機構の第１のリンク部と第２のリンク部の構成を説明する図である。
【図６】実施例１に係るプリンタの廃トナー回収容器の筐体の外側半分を取り除いて内部の構造を示す図である。
【発明を実施するための形態】
【００１６】
以下、本発明の実施の形態について、図面を参照しながら詳細に説明する。
【実施例１】
【００１７】
図１は、本発明の実施例１に係るフルカラーの画像形成装置（以下、単にプリンタ、又は装置本体という）の内部構成を説明する断面図である。
【００１８】
図１に示すプリンタ１（以下、装置本体１とも言う）は、電子写真式で二次転写方式のタンデム型のカラー画像形成装置であり、画像形成部２、転写ベルトユニット３、トナー供給部４、給紙部５、ベルト式定着ユニット６、及び両面印刷用搬送ユニット７で構成されている。
【００１９】
上記画像形成部２は、いわゆる背面転写方式で転写ベルト８の下部走行部表面８ａにトナー画像を転写するために、その転写ベルト８の下部走行部表面８ａに接して上流側から下流側（同図の右側から左側）へ４個の画像形成ユニット９（９ｋ、９ｃ、９ｍ、９ｙ）を多段式に並設した構成をとっている。
【００２０】
上記４個の画像形成ユニット９のうち上流側の３個の画像形成ユニット９ｙ、９ｍ及び９ｃは、それぞれ減法混色の三原色であるイエロー（Ｙ）、マゼンタ（Ｍ）、シアン（Ｃ）の色トナーによるモノカラー画像を形成する。
【００２１】
また、画像形成ユニット９ｋは、主として文字や画像の暗黒部分等に用いられるブラック（Ｋ）トナーによるモノクロ画像を形成する。上記の各画像形成ユニット９は、画像を現像するトナーの色を除き全て同じ構成である。したがって、以下イエロー（Ｙ）のトナー用の画像形成ユニット９ｙを例にしてその構成を説明する。
【００２２】
画像形成ユニット９は、最上部に像担持体としての感光体ドラム１０を備えている。この感光体ドラム１０は、その周面が例えば有機光導電性材料で構成されている。この感光体ドラム１０の周面に当接し又は近傍を取り巻いて、クリーナ１１、帯電ローラ１２、書込ヘッド１３、及び現像器１４の現像ローラ１５が配置されている。
【００２３】
クリーナ１１は、内部に搬送スクリューを備えており、感光体ドラム１０の周面から除去して底部に滞留する廃トナーを搬送スクリューで、後述する廃トナー搬送路に送り込み、その廃トナーを廃トナー搬送ユニットが廃トナー回収容器２９に搬送するようになっている。
【００２４】
尚、図１では、廃トナー搬送ユニットは、転写ベルトユニット３の背面つまり図面奥行き方向向こう側に配置されているので、転写ベルトユニット３の影になって見えない。
【００２５】
現像器１４は、外部を覆うユニット筐体１６、内部に設けられた隔壁１７、現像ローラ１５、第１の攪拌搬送スクリュー１８、及び第２の攪拌搬送スクリュー１９を備えている。第１及び第２の攪拌搬送スクリュー１８及び１９は、特には図示しないが、スクリュー軸と、このスクリュー軸と一体に構成されて回転するフィンから成る。
【００２６】
この現像器１４には、トナー供給部４のトナー補給容器２０（２０ｙ、２０ｍ、２０ｃ、２０ｋ）から、同図にはＹ、Ｍ、Ｃ、Ｋで示すようにイエロー（Ｙ）、マゼンタ（Ｍ）、シアン（Ｃ）、ブラック（Ｋ）のいずれかのトナーが供給される。
【００２７】
転写ベルトユニット３は、装置本体のほぼ中央で図の左右方向に扁平なループ状になって延在する無端状の上述した転写ベルト８と、この転写ベルト８を掛け渡されて転写ベルト８を図の矢印ａで示す反時計回り方向に循環移動させる駆動ローラ２１と従動ローラ２２を備えている。
【００２８】
上記の転写ベルト８には、一次転写ローラ２３がユニットと一体に組み込まれている。一次転写ローラ２３は転写ベルト８を介して感光体ドラム１０に圧接し、下方を循環移動する転写ベルト８の下部走行部表面８ａにトナー像を直接転写（一次転写）する。
【００２９】
転写ベルト８は、そのトナー像を更に用紙に転写（二次転写）すべく用紙への二次転写部２４まで搬送する。二次転写部２４は、駆動ローラ２１に隣接して下流側（図では上方）に配置された転写補助ローラ２５と、この転写補助ローラ２５に転写ベルト８を介して圧接する二次転写ローラ２６とで形成されている。
【００３０】
転写ベルト８には、ベルトクリーナ２７が配置されている。ベルトクリーナ２７は、転写ベルト８の従動ローラ２２に掛け渡されている表面に当接するクリーニングブレード２８を備えている。また、ベルトクリーナ２７の左方から下方にかけて隣接して、廃トナー回収容器２９が着脱自在に配置されている。
【００３１】
ベルトクリーナ２７は、クリーニングブレード２８により転写ベルト８の表面に残留する廃トナーを擦り取って除去し、その廃トナーを後述する廃トナー搬送路を介して廃トナー回収容器２９に送り込んでいる。
【００３２】
トナー供給部４は、転写ベルト８の上部走行部の上方に配置される４個のトナー補給容器２０（２０ｙ、２０ｍ、２０ｃ、２０ｋ）を着脱自在に備えている。４個のトナー補給容器２０には前述したようにイエロー（Ｙ）、マゼンタ（Ｍ）、シアン（Ｃ）、ブラック（Ｋ）のトナーが収容されている。
【００３３】
これら４個のトナー補給容器２０は、図１では転写ベルトユニット３の向う側に隠れて見えないが、それぞれ装着部のトナー供給口に続くトナー供給路を介して、それぞれに対応する画像形成ユニット９の現像器１４と連結されている。
【００３４】
このトナー供給部４は、特には図示しないが、図１に示す印刷実行時位置から、それより上方の保守位置に、昇降可能に装着部を介してプリンタ１本体のフレームに保持されている。
【００３５】
給紙部５は、上下２段に配置された２個の給紙カセット３０（３０ａ、３０ｂ）を備えている。２個の給紙カセット３０の給紙口（図の右方）近傍には、それぞれ用紙取出ローラ３１、給送ローラ３２、捌きローラ３３、待機搬送ローラ対３４が配置されている。
【００３６】
待機搬送ローラ対３４の用紙搬送方向（図の鉛直上方向）には、転写ベルト８、転写補助ローラ２５、二次転写ローラ２６による前述した用紙への二次転写部２４が形成されている。
【００３７】
この二次転写部２４の下流（図では上方）側にはベルト式熱定着ユニット６が配置され、ベルト式熱定着ユニット６の更に下流側には、定着後の用紙をベルト式熱定着ユニット６から搬出する搬出ローラ対３６、及びその搬出される用紙を装置上面に形成されている排紙トレー３７に排紙する排紙ローラ対３８が配設されている。
【００３８】
両面印刷用搬送ユニット７は、外面（図の右方外側面）がプリンタ１の内部を側面から外部に開放又は遮蔽する開閉部材を兼ねている。
【００３９】
この両面印刷用搬送ユニット７は、排紙ローラ対３８の直前から図の右横方向に分岐する返送開始路３９ａ、それから下方に曲がる返送中間路３９ｂ、更に上記とは反対の左横方向に曲がって最終的に返送用紙を反転させる返送終端路３９ｃから成る返送路３９を備えている。
【００４０】
また、返送路３９の途中には、５組の返送ローラ対４１（４１ａ、４１ｂ、４１ｃ、４１ｄ、４１ｅ）が配置されている。上記返送終端路３９ｃの出口は、給紙部５の下方の給紙カセット３０ｂに対応する待機搬送ローラ対３４への搬送路に合流している。
【００４１】
図２は、上記構成の画像形成装置１における廃トナー搬送ユニット、廃トナー回収容器２９、画像形成ユニット装着部、書込ヘッド１３、及び連動カムユニットのみを取り出して示す斜視図である。
尚、同図は廃トナー回収容器２９が装着部から矢印ｂで示すように抜脱された直後、又は矢印ｃで示すように装着される直前の状態を示している。同図に示すように、廃トナー搬送ユニット４２は、装置本体１の後部において横長に延在して配置されたパイプ状の廃トナー搬送路４３を備えている。
【００４２】
廃トナー搬送路４３には、図１に示した転写ベルトユニット３のベルトクリーナ２７に対応する位置に形成されたベルト廃トナー縦搬送部４４が連結されている。ベルト廃トナー縦搬送部４４の上部前面に廃トナー受入口４５が形成されている。
【００４３】
廃トナー回収容器２９の装着部に隣接する装置本体側の固定フレームから成る画像形成ユニット装着部４６には、図１に示した４個の画像形成ユニット９が装着される。画像形成ユニット９のクリーナ１１は、トナー像の現像と一次転写を実行する感光体ドラム１０の周面から廃トナーを除去し、除去した廃トナーを排出口から排出する。
【００４４】
廃トナー搬送路４３には、画像形成ユニット９のクリーナ１１の廃トナーの排出口に対応する位置にそれぞれ形成されたドラム廃トナー縦搬送部４７（４７ｙ、４７ｍ、４７ｃ、４７ｋ）が連結されている。ドラム廃トナー縦搬送部４７の上部前面には、それぞれ廃トナー受入口４８が形成されている。
【００４５】
また、廃トナー搬送路４３は左端部が前面方向に屈曲して端部開口が廃トナー排出口４９を形成している。この廃トナー排出口４９は廃トナー回収容器２９が装着部に装着されたとき、廃トナー回収容器２９の廃トナー回収口に連結される。
【００４６】
廃トナー搬送路４３の廃トナー排出口４９には、図のように廃トナー回収容器２９の廃トナー回収口との連結が外れているときのためにシャッタ５１が設けられている。また廃トナー排出口４９の近傍には廃トナー回収容器２９が廃トナーで満タンになったことを検出するための廃トナー満タンセンサ５２が配設されている。
【００４７】
この廃トナー搬送路４３の内部には、搬送スクリューが内蔵されている。搬送スクリューは、廃トナー搬送路４３の右端部に配設されたギア５３に連結されている。ギア５３は装置本体側の不図示の駆動系ギアに係合して回転駆動される。
【００４８】
搬送スクリューは、ギア５３に回転駆動され、ドラム廃トナー縦搬送部４７から送り込まれる廃トナーと、ベルト廃トナー縦搬送部４４から送り込まれる廃トナーを廃トナー排出口４９へと搬送して、廃トナーを廃トナー回収容器２９へ排出する。
させる。
【００４９】
廃トナー回収容器２９の二点破線の丸印ｄで囲んで示す前面には、廃トナー回収容器２９を装着部から出し入れする際の取っ手となる横長の抓み５３と、この抓み５３が固設された回転体５４とから成る回転抓み５５が取り付けられている。
【００５０】
回転抓み５５の回転体５４には、抓み５３の長手方向と直交する方向の一方の端部（図では上方の端部）に、印刷、刻印、又は成形による三角記号５６が、三角の一角を回転体５４の外側に向けて配置されている。
【００５１】
また、回転抓み５５には、抓み５３が図のように水平位置にあるとき抓み５３の回転体５４に接する位置から抓み５３の長手方向の右方向に板状に突出するリンク機構駆動板５７が形成されている。
【００５２】
リンク機構駆動板５７は、廃トナー回収容器２９が矢印ｃで示すように装着部に装着されたとき、回転抓み５５と共に連動カムユニット５８に係合可能な位置に移動する。
【００５３】
連動カムユニット５８は前覆い５９と裏面側本体部６１から成り、裏面側本体部６１の装置本体の内側を向く面には、画像形成ユニット装着部４６の装置本体側に装着されている４個の書込みヘッド１３に対応する４個のユニットカム６２が固設されている。
【００５４】
書込ヘッド１３の下方には、長尺摺動レール６３と長尺板状部材６４とが一体化されて構成されたリンク機構６５が配置されている。リンク機構６５の長尺摺動レール６３の前面には、連動カムユニット５８の４個のユニットカム６２にそれぞれ対応するリンクカム６６が固設されている。
【００５５】
図３は、図２の状態から廃トナー回収容器２９が装着部に装着されて、前面の回転抓み５５がロック位置に回された状態を示している。尚、図３には、連動カムユニット５８の裏面側本体部６１の構成が判り易いように、図２に示した前覆い５９を取り外して示している。
【００５６】
また、図３には、説明に必要な部分にのみ、図２と同一の構成部分には図２と同一の番号を付与して示し、その他の部分には新たな番号を付与して示している。
【００５７】
図３に示すように、廃トナー回収容器２９の前面の回転抓み５５の周囲には、最上部の位置にロック解除位置を示す三角記号６７、真横の位置にロック位置を示す三角記号６８、その斜め下方に清掃位置を示す三角記号６９が表示されている。
【００５８】
図３では、回転体５４の三角記号５６の外向きの一角がロック位置を示す三角記号６８の一角に対向する位置まで回されている回転抓み５５の状態を示している。
【００５９】
また、連動カムユニット５８において、裏面側本体部６１の下面の５箇所に、コロ７１がその下部の一部が裏面側本体部６１の下面の外側に出る形状で配設されている。これにより、連動カムユニット５８は、矢印ｅで示す左方、又は矢印ｅ´で示す右方に滑動が容易である。
【００６０】
また、裏面側本体部６１の下面には、二箇所に長孔溝７２が形成されている。これらの長孔溝７２には、装置本体１側のフレームに固定して立設された規制ピン７３が下方から嵌入している。これにより、連動カムユニット５８は長孔溝７２の長さの範囲で矢印ｅ又は矢印ｅ´で示す左右方向に滑動するよう、滑動範囲を規制されている。
【００６１】
また、裏面側本体部６１の下面の長孔溝７２に嵌入している二本の規制ピン７３のうち一方（図３では右方）の規制ピン７３には、戻しバネ７５の一端が係止しており、戻しバネ７５の他端は裏面側本体部６１に固設されたピン７６に係止している。
【００６２】
また、裏面側本体部６１の左端部に、図２の前覆い５９よりも前方に突出する長さの回転抓み係合ピン７４が配設されている。回転抓み係合ピン７４の右側面に、ロック位置に回された回転抓み５５のリンク機構駆動板５７の左側面が当接している。
【００６３】
図４は、回転抓み５５の抓み５３が時計回り方向に回されて、回転体５４の三角記号５６の外向きの一角が、ロック位置を示す三角記号６８の位置から、清掃位置を示す三角記号６９の位置まで移動した状態を示している。
【００６４】
この状態で、抓み５３から延びだしているリンク機構駆動板５７により回転抓み係合ピン７４が左方に押され、右側の規制ピン７３に一端が係止する戻しバネ７５の付勢力に抗して、連動カムユニット５８が、２本の規制ピン７３がそれぞれ長孔溝７２の右端に当接する位置まで、矢印ｅで示す左方に移動している。
【００６５】
このように連動カムユニット５８が移動すると、ユニットカム６２の最凸面がリンクカム６６の最凸面に摺接係合する。これにより、長尺摺動レール６３と長尺板状部材６４から成るリンク機構６５が後方に押し込まれ、リンク機構６５の清掃機能が作動する。
【００６６】
リンク機構６５の清掃機能が作動すると、書込みヘッド１３を支持するヘッド支持部材７７がヘッドフレーム７８と共に下方に下がり、それまで書込みヘッド１３に隣接し書込みヘッド１３の長手方向に沿って配置されていたヘッドクリーナ７９が書込みヘッド１３側に移動し、書込みヘッド１３の上面（レンズ面）に摺接して書込みヘッド１３を清掃する。
【００６７】
回転抓み５５が、上記の清掃位置を示す三角記号６９の位置から図３に示したようにロック位置を示す三角記号６８の位置に復帰すると、回転抓み係合ピン７４がリンク機構駆動板５７との係合を解除され、戻しバネ７５の付勢力により、連動カムユニット５８は矢印ｅ´で示す右方位置に復帰する。
【００６８】
これにより、ユニットカム６２の最凸面とリンクカム６６の最凸面との摺接係合が解除され、長尺摺動レール６３と長尺板状部材６４から成るリンク機構６５が後方に押し込まれた位置から前方位置に復帰し、ヘッドクリーナ７９は書込みヘッド１３に隣接する退避位置に復帰し、書込みヘッド１３は感光体ドラム１０に光書込みが可能は印刷位置に復帰する。
【００６９】
図５(a),(b)は、１個の書込みヘッド１３とそのリンク機構６５及びそれらの関連部材のみ取り出して、リンク機構６５の第１のリンク部と第２のリンク部の構成を説明する図である。
【００７０】
なお、図５(a)は書込みヘッド１３とリンク機構６５及びそれらの関連部材を装置本体１の正面側から見た図であり、同図(b)はその斜視図である。また、図５(a),(b)には、図３、図４と同一の構成部分には図３、図４と同一の番号を付与して示し、図３、図４では説明しなかった部分に新たな番号を付与して示している。
【００７１】
図５(a),(b)に示すように、書込みヘッド１３はヘッド支持部材７７に支持され、ヘッド支持部材７７は側面と両端部上面をヘッドフレーム７８に支持されている。また、ヘッド支持部材７７は、両端の下面と装置本体１側の装着部固定フレーム８１との間に押しバネ８２を介装されている。これにより書込みヘッド１３は常に上方の光書込み位置に付勢されている。
【００７２】
リンク機構６５の第１のリンク部は、ヘッドフレーム７８の両端部の両側面に上端が回動可能に係合しているヘッド上下スライドステー８３と、ヘッド上下スライドステー８３の後端に係合するスライドステー保持軸８４とで形成されている。
【００７３】
スライドステー保持軸８４はリンク機構６５の長尺板状部材６４に固定して立設され、ヘッド上下スライドステー８３の後端を、ヘッド上下スライドステー８３が後方に斜め下がりの状態になる位置で保持している。
【００７４】
この状態で、図４に示したように連動カムユニット５８のユニットカム６２とリンク機構６５のリンクカム６６が摺接係合してリンク機構６５が後方に押し込まれると、リンク機構６５の長尺板状部材６４がスライドステー保持軸８４と共に後方に移動する。
【００７５】
長尺板状部材６４は長手方向にスライドするが上下には位置固定されて上下移動は禁止されているので、長尺板状部材６４のスライドステー保持軸８４に後端を後方に引かれたヘッド上下スライドステー８３はほぼ水平に近い状態になるよう強制される。
【００７６】
ヘッド上下スライドステー８３が水平に近い状態になるよう強制されると、相対的にヘッド上下スライドステー８３の上端が下がる。これにより、ヘッド上下スライドステー８３の上端が係合するヘッドフレーム７８下がる。すなわち、ヘッド支持部材７７と書込みヘッド１３が上方の光書込み位置から離間する下方位置に移動する。
【００７７】
また、クリーナ７９は、クリーナ保持部材８５に保持されている。クリーナ保持部材８５の下端部からは、ヘッド支持部材７７の下部とリンク機構６５の長尺板状部材６４の上面との間に張出板状部材８６が張り出している。この張出板状部材８６から係合ピン８７が下方に突設され係合ピン８７の上端は止めねじ８８によって張出板状部材８６に固定されている。
【００７８】
一方、リンク機構６５の長尺板状部材６４の上記の係合ピン８７に対応する位置に、長尺板状部材６４の表裏に貫通して形成された円弧状の変形溝８９が形成されている。係合ピン８７は変形溝８９に摺動自在に嵌入している。第２のリンク部は、これら係合ピン８７と変形溝８９とで形成されている。
【００７９】
この状態で、図４に示したように連動カムユニット５８のユニットカム６２とリンク機構６５のリンクカム６６が摺接係合してリンク機構６５が矢印ｆで示すように後方に押し込まれると、長尺板状部材６４と共に変形溝８９が後方に移動する。
【００８０】
長尺板状部材６４は長手方向にスライドするが左右（短手方向）には位置固定されて左右移動は禁止されているので、長尺板状部材６４の変形溝８９に嵌入している係合ピン８７は、図５の位置から変形溝８９の円弧に沿って右方に引き出される。
【００８１】
これにより、係合ピン８７、張出板状部材８６、クリーナ保持部材８５を介してヘッドクリーナ７９が右方、すなわち書込みヘッド１３方向に引き出され、書込みヘッド１３の上面に摺接して書込みヘッド１３のレンズ面を清掃する。
【００８２】
リンク機構６５の長尺板状部材６４には、引き付勢力を有する戻しバネ９１が配設されている。長尺板状部材６４には戻しバネ９１の下方位置に細長の切り欠き溝９２が形成されている。そして、下方の固定フレームから立設する固定フレーム軸９３が切り欠き溝９２を下から上に貫通している。
【００８３】
戻しバネ９１の前方の端部は、上記の固定フレーム軸９３に係止している。戻しバネ９１の後方の端部は、長尺板状部材６４に固設された固定軸９４に係止している。図５は、連動カムユニット５８のユニットカム６２とリンク機構６５のリンクカム６６との摺接係合が解除されている状態を示している。
【００８４】
この状態から図４に示したように連動カムユニット５８のユニットカム６２とリンク機構６５のリンクカム６６が摺接係合してリンク機構６５が後方に押し込まれると、戻しバネ９１が固定軸９４に引かれて延びる。
【００８５】
図５のようにユニットカム６２とリンクカム６６の係合が解除されると戻しバネ９１が固定フレーム軸９３方向に戻るように縮む。
【００８６】
これにより、リンク機構６５が矢印ｇで示すように、装置本体の前方位置に復帰し、係合ピン８７が変形溝８９の円弧に沿って図５に示す右方位置に移動する。すなわち、係合ピン８７、張出板状部材８６、クリーナ保持部材８５を介してヘッドクリーナ７９が書込みヘッド１３から離間する位置に移動する。
【００８７】
上記一連の動作に伴ってスライドステー保持軸８４も前方に移動する。スライドステー保持軸８４が前方に移動すると、スライドステー保持軸８４に後端部を保持されているヘッド上下スライドステー８３が図５のように斜めに立つ位置に戻るように強制される。
【００８８】
ヘッド上下スライドステー８３が斜めに立つ位置に戻ると、ヘッド上下スライドステー８３の上端が上に持ち上がる。これにより、ヘッド上下スライドステー８３、ヘッドフレーム７８、及びヘッド支持部材７７を介して書込みヘッド１３が上昇して印刷位置に復帰する。
【００８９】
図６は、廃トナー回収容器２９の筐体の外側半分を取り除いて内部の構造を示す図である。なお、図６には、廃トナー回収容器２９そのものには直接関係ないが、いままで説明してきた部材で図に見える部材には、参考のため、図２ないし図５と同一構造部分には図２ないし図５と同一の番号を付与して示している。
【００９０】
図６に示すように、回転抓み５５の回転軸９５には、廃トナー攪拌棒９６が、一定間隔で、回転軸９５に直交する方向に、取り付け角度を９０度ごと交互に違えて、取り付けられている。
【００９１】
回転抓み５５を図２ないし図４に示した三角記号６７のロック解除位置、三角記号６８のロック位置、三角記号６９の清掃位置に回転させるたびに、廃トナー攪拌棒９６が両方向矢印ｈで示すいずれかの方向に回転して内部の廃トナーを固結しないように攪拌する。
【００９２】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００９３】
ユニット装着部に挿脱自在に装着される画像形成ユニットの像担持体に画像情報を書き込むべく配置された書込みヘッドと、
前記像担持体に対して前記書込ヘッドを近接させる近接位置と、該近接位置から離間した離間位置とに移動自在に前記書込ヘッドを支持するヘッド支持部材と、
前記書込みヘッドの長手方向に沿って形成されたヘッドクリーナと、
前記ユニット装着部に隣接する装着部に着脱自在に装着される廃トナー回収容器と、
前記廃トナー回収容器の操作に連動して前記ヘッドクリーナにより前記書込みヘッドを清掃させる連動手段を備える、
ことを特徴とする画像形成装置。
[付記２]
【００９４】
前記連動手段は、
前記書込みヘッドが前記近接位置にあるとき前記ヘッドクリーナを前記書込みヘッドから該書込みヘッドの短手方向に離間させ、前記書込みヘッドが前記離間位置にあるとき前記ヘッドクリーナを前記書込みヘッドに摺接する位置に移動させるよう支持するクリーナ支持部材と、
前記ヘッド支持部材を前記近接位置又は前記離間位置に移動させる第１のリンク部と前記クリーナ支持部材を前記ヘッドクリーナが前記書込みヘッドから離間する位置又は前記ヘッドクリーナが前記書込みヘッドに摺接する位置に移動させる第２のリンク部を有するリンク機構と、
該リンク機構に設けられたリンクカムと、
該廃トナー回収容器の前面に設けられ前記廃トナー回収容器を前記装着部にロックするロック位置又はロックを解除するロック解除位置又は前記廃トナー回収容器を清掃する清掃位置に回転移動する回転抓みと、
該回転抓みの回転に連動して前記リンクカムに係合し又は係合を解除する複数のカムを有する連動カムユニットと、
を備える、
ことを特徴とする付記１記載の画像形成装置。
[付記３]
【００９５】
前記連動カムユニットは、前記回転抓みが前記清掃位置に回転したときこの回転に連動して前記リンクカムと係合し、
前記リンク機構は、前記ヘッド支持部材の長手方向に沿って摺動自在に前記ヘッド支持部材の下方に配置され、前記連動カムユニットが前記リンクカムと係合しとき戻しばねの付勢力に抗して前記長手方向に押し込まれる方向に移動して、前記第１のリンク部により押し上げばねの付勢力に抗して前記ヘッド支持部材を前記近接位置から前記離間位置に引き下げ、前記第２のリンク部により前記クリーナ支持部材を前記ヘッドクリーナが前記書込みヘッドに摺接する位置に移動させる、
ことを特徴とする付記２記載の画像形成装置。
[付記４]
【００９６】
前記連動カムユニットは、前記回転抓みが前記清掃位置から前記ロック位置又は前記ロック解除位置に回転したときこの回転に連動して前記リンクカムとの係合を解除し、
前記リンク機構は、前記戻しばねの付勢力により前記連動カムユニットと前記リンクカムとの係合前の位置に復帰すると共に、前記第２のリンク部により前記クリーナ支持部材を前記ヘッドクリーナが前記書込みヘッドから離間する位置に移動させ、
前記ヘッド支持部材は、前記押し上げばねの付勢力と前記第１のリンク部との協働により、前記書込ヘッドが前記像担持体に対する近接位置に移動する位置に復帰する、
ことを特徴とする付記３記載の画像形成装置。
[付記５]
【００９７】
前記第１のリンク部は、前記ヘッド支持部材に固定された支点に回動支点を支持された回動部材と、前記リンク機構に固定され前記回動部材の回動自由端に係合する回動自由端支持部と、から成り、
前記回動自由端支持部は、前記リンク機構の長手方向の押し込みと復帰の移動に伴い前記回動部材の態様を水平に近づく状態と鉛直に近づく状態に変化させる、
ことを特徴とする付記２、３又は４記載の画像形成装置。
[付記６]
【００９８】
前記第２のリンク部は、前記クリーナ支持部材から前記ヘッド支持部材の下部と前記リンク機構の上面との間に張り出した張出板状部材に固定された係合ピンと、該係合ピンに摺動自在に嵌合し前記リンク機構の板状部材の表裏に貫通して形成された変形溝と、から成り、
前記変形溝は、前記リンク機構の長手方向の押し込みと復帰の移動に伴い前記係合ピンと前記張出板状部材を介して前記クリーナ支持部材を前記ヘッドクリーナが前記書込みヘッドに摺接する位置と前記書込みヘッドから離間する位置とに移動させる、
ことを特徴とする付記２、３、４又は５記載の画像形成装置。
【産業上の利用可能性】
【００９９】
本発明は、装着部に着脱される廃トナー回収容器の取っ手であり廃トナー回収容器の装着部へのロックとロック解除を行う回転抓みの回転に連動して書込みヘッドの清掃を行う画像形成装置に利用することができる。
【符号の説明】
【０１００】
１  フルカラー画像形成装置（プリンタ、装置本体）
２  画像形成部
３  転写ベルトユニット
４  トナー供給部
５  給紙部
６  ベルト式定着ユニット
７  両面印刷用搬送ユニット
８  転写ベルト
８ａ  下部走行部表面
９（９ｍ、９ｃ、９ｙ、９ｋ）  画像形成ユニット
１０  感光体ドラム
１１  クリーナ
１１ａ  筐体側面
１１ｂ  筐体底部
１２  帯電ローラ
１３  書込ヘッド
１４  現像器
１５  現像ローラ
１６  ユニット筐体（係合部）
１６ａ  摺擦部
１６ｂ  欠如部
１７  隔壁
１８  第１の攪拌搬送スクリュー
１９  第２の攪拌搬送スクリュー
２０（２０ｙ、２０ｍ、２０ｃ、２０ｋ）  トナー補給容器
２１  駆動ローラ
２２  従動ローラ
２３  一次転写ローラ
２４  二次転写部
２５  転写補助ローラ
２６  二次転写ローラ
２７  ベルトクリーナ
２８  クリーニングブレード
２９  廃トナー回収容器
３０（３０ａ、３０ｂ）  給紙カセット
３１  用紙取出ローラ
３２  給送ローラ
３３  捌きローラ
３４  待機搬送ローラ対
３６  搬出ローラ対
３７  排紙トレー
３８  排紙ローラ対
３９  返送路
３９ａ  返送開始路
３９ｂ  返送中間路
３９ｃ  返送終端路
４０ａ  前扉
４０ｂ  開閉部材
４１（４１ａ、４１ｂ、４１ｃ、４１ｄ、４１ｅ）  返送ローラ対
４２  廃トナー搬送ユニット
４３  廃トナー搬送路
４４  ベルト廃トナー縦搬送部
４５  廃トナー受入口
４６  画像形成ユニット装着部
４７（４７ｙ、４７ｍ、４７ｃ、４７ｋ）  ドラム廃トナー縦搬送部
４８  廃トナー受入口
４９  廃トナー排出口
５１  シャッタ
５２  廃トナー満タンセンサ
５３  抓み
５４  回転体
５５  回転抓み
５６  三角記号
５７  リンク機構駆動板
５８  連動カムユニット
５９  前覆い
６１  裏面側本体部
６２  ユニットカム
６３  長尺摺動レール
６４  長尺板状部材
６５  リンク機構
６６  リンクカム
６７  ロック解除位置を示す三角記号
６８  ロック位置を示す三角記号
６９  清掃位置を示す三角記号
７１  コロ
７２  長孔溝
７３  規制ピン
７４  回転抓み係合ピン
７５  戻しバネ
７６  ピン
７７  ヘッド支持部材
７８  ヘッドフレーム
７９  ヘッドクリーナ
８１  装着部固定フレーム
８２  押しバネ
８３  ヘッド上下スライドステー
８４  スライドステー保持軸
８５  クリーナ保持部材
８６  張出板状部材
８７  係合ピン
８８  止めねじ
８９  変形溝
９１  戻しバネ
９２  切り欠き溝
９３  固定フレーム軸
９４  固定軸
９６  廃トナー攪拌棒
【図１】
2014052545.tif 000003
【図２】
2014052545.tif 000004
【図３】
2014052545.tif 000005
【図４】
2014052545.tif 000006
【図５】
2014052545.tif 000007
【図６】
2014052545.tif 000008